【事件の表示】
　特願２０１１−　８７１７５「表示装置」拒絶査定不服審判事件〔平成２３年１１月２４日出願公開、特開２０１１−２３８２１４、請求項の数（３）〕について、次のとおり審決する。
【結　論】
　原査定を取り消す。
　本願の発明は、特許すべきものとする。
【理　由】
第１　手続の経緯
　
　本願は、平成２３年４月１１日（優先権主張平成２２年４月１６日）の出願であって、平成２７年１月３０日付けで拒絶理由が通知され、同年７月８日付けで拒絶査定がなされ、これに対し、同年９月１１日に拒絶査定不服審判の請求がなされたものである。
　
第２　本願発明
　
　本願の請求項１−３に係る発明は、特許請求の範囲の請求項１−３に記載された事項により特定されるものと認められるところ、本願の請求項１に係る発明（以下、「本願発明」という。）は以下のとおりである。
　
「【請求項１】
　表示部と、センサ部と、を有し、
　前記表示部は、高分子分散型液晶を有する第１の液晶素子を有し、
　前記センサ部は、受光素子と、前記受光素子上に設けられ、前記高分子分散型液晶を有する第２の液晶素子と、を有し、
　前記第１の液晶素子と前記第２の液晶素子とを、独立に駆動させ、
　前記受光素子は、前記第２の液晶素子を透過した光を受光することを特徴とする表示装置。」
　
　
第３　原査定の理由の概要
　
　この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。　　　　　　　
　　　　　　　　　　　　　　　　　　　
　　　　　　　　記　　　（引用文献等については引用文献等一覧参照）　
　　
・請求項　１−３　　
・引用文献　１−３　　　　
・備考
　引用文献１（段落１，２８ないし３６，５８ないし６０等参照。）には、画素部が画素電極を備え、画素電極に挟まれた液晶素子を備え、画素部に接続され、光センサ部と光量調整部とからなる光検出回路部とを備えた液晶表示装置において、液晶の配向状態を制御して、光センサ部に入射する光量を調節する技術が記載されており、液晶が高分子分散型液晶であるか否かが明確ではない点で本願発明とは相違するが、液晶の材料としてどのようなものを採用するかは当業者が必要に応じて適宜選択し得る事項である。また、高分子分散型液晶は周知（引用文献２要約、光量調節部材としてのポリマーネットワーク型液晶、引用文献３段落１，１４，１７等参照。）であり、引用文献１に当該周知技術を適用して、上記相違点に係る本願発明の構成とすることは当業者が容易になし得ることである。
　
　出願人が意見書の中で主張しているとおり、引用文献１は、画素部の液晶素子と光検出回路部の液晶素子が独立に駆動するものではない点でも、本願発明と相違する。
　しかしながら、画素部の液晶素子と光検出回路部の液晶素子を独立に駆動することは周知技術（先に示した引用文献３の段落２１ないし２４，図２等参照。）であるから、引用文献１において、そのように構成することは当業者が容易になし得ることである。
　
　　　　　　　　　　引　用　文　献　等　一　覧
１．特開２００９−３６９４６号公報
２．特開２００４−３１７９０８号公報
３．特開２００８−８３３２２号公報
　
　
第４　当審の判断　
１．刊行物の記載事項
 
　原査定の拒絶の理由に引用された特開２００９−３６９４６号公報公報（以下、「刊行物１」という。）には、次の記載がある。（下線は当審において付加した。）
　　
ア．「【技術分野】
【０００１】
　 
本発明は、外光を検出することにより指等の指示物体の位置特定、領域検出を行なう光検出機能付き液晶装置
　 
イ．「【００２７】
　＜１−２：画素部の構成＞
　次に、液晶装置１の画素部の構成を詳細に説明する。図２は、液晶装置１の画像表示領域１０ａを構成するマトリクス状に形成された複数の画素における各種素子、配線等の等価回路である。本図では、ＴＦＴアレイ基板上にマトリクス状に配置された複数の画素部のうち実質的に画像の表示に寄与する部分の回路構成と共に光検出回路部２５０を示している。図３は、画素部の模式的平面図である。図４は、図３のＶＩＩ−ＶＩＩ´断面図である。図５は、図３のＶＩＩＩ−ＶＩＩＩ´断面図である。図６は、図３のＩＸ−ＩＸ´断面図である。図７は、図６に示した断面を詳細に示した断面図である。図４〜図７では、各層・各部材を図面上で認識可能な程度の大きさとするため、該各層・各部材ごとに縮尺を異ならしめてある。
【００２８】
　図２において、
液晶装置１の画像表示領域１０ａを構成するマトリクス状に形成された複数の画素部７２のそれぞれは、赤色を表示するサブ画素部７２Ｒ、緑色を表示するサブ画素部７２Ｇ、および青色を表示するサブ画素部７２Ｂを含んで構成されている
画素部７２は、画像表示領域１０ａに形成された光検出回路部２５０に電気的に接続されている
光検出回路部２５０は、光センサ部１５０と光量調節部８２とを備えている
サブ画素部７２Ｒ、７２Ｇおよび７２Ｂのそれぞれは、画素電極９ａ、ＴＦＴ３０、蓄積容量７０、および画素電極９ａに挟まれた液晶素子５０ａを備えている
【００２９】
　
ＴＦＴ３０は、画素電極９ａに電気的に接続されており、液晶装置１の動作時に画素電極９ａをスイッチング制御する。画像信号が供給される表示信号線６ａは、ＴＦＴ３０のソースに電気的に接続されている
【００３０】
　
ＴＦＴ３０のゲートに表示行選択信号線３ａが電気的に接続されており、液晶装置１は、所定のタイミングで、表示行選択信号線３ａにパルス的に走査信号Ｇ１、Ｇ２、…を、この順に線順次で印加するように構成されている。画素電極９ａは、ＴＦＴ３０のドレインに電気的に接続されており、スイッチング素子であるＴＦＴ３０を一定期間だけそのスイッチを閉じることにより、表示信号線６ａから供給される画像信号Ｓ１、Ｓ２、…が所定のタイミングで書き込まれる。画素電極９ａを介して液晶素子５０ａに書き込まれた所定レベルの画像信号Ｓ１、Ｓ２、…は、対向基板に形成された対向電極との間で一定期間保持される
【００３１】
　画素電極９ａに挟まれた液晶素子５０ａは、印加される電圧レベルにより分子集合の配向や秩序が変化することにより、光を変調し、階調表示を可能とする。ノーマリーホワイトモードであれば、各サブ画素部の単位で印加された電圧に応じて入射光に対する透過率が減少し、ノーマリーブラックモードであれば、各サブ画素部の単位で印加された電圧に応じて入射光に対する透過率が増加され、全体として液晶装置１からは画像信号に応じたコントラストをもつ光が出射される。蓄積容量７０は、画像信号がリークすることを防ぐために、画素電極９ａと対向電極との間に形成される液晶素子５０ａと並列に付加されている。容量電位線３００は、蓄積容量７０が有する一対の電極のうち固定電位側の電極である。
【００３２】
　
図３に示すように、画素部７２は、Ｘ方向に沿って配列された３つのサブ画素部７２Ｒ、７２Ｇおよび７２Ｂ、ならびに光検出回路部２５０を有している
【００３３】
　光検出回路部２５０は、調整制御用ＴＦＴ１３０、開口部８３、およびＴＦＴ回路部８０を有している。光検出回路部２５０は、表示面に入射する入射光を検出する
ＴＦＴ回路部８０は
リセット用ＴＦＴ１６３、電圧増幅用ＴＦＴ１５４、および出力制御用ＴＦＴ１５５を含んで構成されており、開口部８３に臨む受光素子１５１の動作を制御すると共に、受光素子１５１が生成する光電流に応じた電圧の変化を読出信号線６ａ２に供給する
【００３４】
  図４〜図７において、液晶装置１は、遮光膜１１および１５３、平坦化膜２０ａに埋め込まれた３種類のカラーフィルタ１５４Ｒ、１５４Ｇおよび１５４Ｂ、液晶素子５０ｂ、受光素子１５１、バックライト２０６、ならびに、第１偏光板３０１、第２偏光板３０２、および第３偏光板を備えている。
  バックライト２０６は、導光板２０６ａ、および表示用光源２０６ｂを備えて構成されており、図中ＴＦＴアレイ基板１０の下側に配置されている。
【００３５】
  表示用光源２０６ｂは、画像表示領域１０ａに画像を表示するための表示用光Ｌ１を生成する。表示用光Ｌ１は、可視光であり、各サブ画素部の駆動に応じて液晶層５０によって変調される。
  導光板２０６ａは、例えば、表示用光Ｌ１を透過可能なアクリル樹脂で構成されており、表示用光Ｌ１を画像表示領域１０ａに導く。液晶装置１は、画像を表示するために表示用光Ｌ１を利用すると共に、指示物体Ｆを検知するために表示用光Ｌ１および外光を利用する。
【００３６】
  第１偏光板３０１および第２偏光層３０２のそれぞれは、光量調節部８２の一部を構成しており、図中上下方向に沿って液晶素子５０ｂの両側のそれぞれの側に配置されている。第１偏光層３０１および第２偏光層３０２のそれぞれは、各々の光軸が互いに交差するようにクロスニコル配置されている。液晶素子５０ｂは、液晶層５０のうち受光素子１５１に重なる液晶部分と、当該液晶部分を挟持する第１電極１５９ａおよび第２電極２１ａを有している。」（８頁１７行−９頁４８行）
　
ウ．「【００５７】
　次に図８を参照しながら、光検出回路部２５０の詳細な回路構成を説明する。まず、簡単のため、光検出回路部２５０用の信号線・電源線（光センサリセット信号線３５０、光センサ第１電源線３５１、光センサ第２電源線３５２、光センサ行選択信号線３５３）を設けて、光検出回路部２５０を画素部７２と独立に制御可能な場合を説明する。ただし、表示行選択信号線３ａおよび容量電位線３００は、画素部７２と共用している。
【００５８】
　図８において、
光検出回路部２５０は、光量調節部８２および光センサ部１５０を備えている。光量調節部８２は、液晶素子５０ｂ、調整制御ＴＦＴ１３０、および蓄積容量１７０を備えて構成されている。光量調節部８２は、複数の光検出回路部２５０のそれぞれに含まれており、センサ感度調整回路部２０５の制御下において、画像表示領域１０ａにおいて互いに独立してその動作が制御される。
  液晶素子５０ｂは、調整制御ＴＦＴ１３０および蓄積容量１７０のそれぞれに電気的に接続されており、液晶素子５０ｂが有する液晶部分の配向状態が調整制御ＴＦＴ１３０によって制御され、光センサ部１５０に入射する入射光の光量を調節する。蓄積容量１７０が有する一対の容量電極の一方は、容量電位線３００に電気的に接続されている。
【００５９】
　
調整制御ＴＦＴ１３０のゲートおよびソースのそれぞれは、表示行選択信号線３ａおよび光量調節信号線６ａ１のそれぞれに電気的に接続されている。調節制御ＴＦＴ１３０は、表示行選択信号線３ａを介して供給された選択信号が供給されることによってそのオンオフが切り換え可能に構成されている。調整制御ＴＦＴ１３０は、そのオンオフに応じて光量調節信号線６ａ１を介して供給された調節信号を液晶素子５０ｂに供給する。液晶素子５０ｂは、調節信号に応じて液晶部分の配向状態が制御されることによって光センサ部１５０に入射する入射光の光量を調節する。
【００６０】
　
光センサ部１５０は、フォトダイオード等の受光素子１５１、蓄積容量１５２、リセットＴＦＴ１６３、信号増幅用ＴＦＴ１５４、および出力制御用ＴＦＴ１５５を備えて構成されている。
　受光素子１５１は、画像表示領域１０ａにおいて液晶装置１の表示面３０２ｓから入射する入射光Ｌ２のうち光量調節部８２によって光量が調節された入射光Ｌ２´（図４〜図６参照。）を受光する
【００６１】
　受光素子１５１が入射光を受光した際には、受光素子１５１に光電流が生じ、リセット用ＴＦＴ１６３、電圧増幅用ＴＦＴ１５４、および出力制御用ＴＦＴ１５５のそれぞれの動作に応じて、受光素子１５１に電気的に接続された光センサ第２電源線３５２およびノードａ間の電圧Ｖに対応した信号が読出信号線６ａ２に読み出される。
  このように、光検出回路部２５０を備えた液晶装置１は、光量調節部８２が光センサ部１５０の感度調整を行なっているため、位置検出時の誤動作を防ぐことができ、精度を高めることができる。
【００６２】
　しかしながら、光検出回路部２５０を備えることにより、信号線の数が増えるという問題がある。すなわち、従来、画素部７２の制御に必要であった表示行選択信号線３ａと容量電位線３００とに加え、図８に示すように、１走査線毎に光センサリセット信号線３５０、光センサ第１電源線３５１、光センサ第２電源線３５２、光センサ行選択信号線３５３を新たに設ける必要がある。これらの配線のための領域を確保すると、液晶装置１の画素部７２の開口率が低下することになる。開口率の低下をカバーするためにバックライトの光量を増やすと消費電力が増加したり、光センサ部１５０における迷光が増加し、位置検出の際のノイズ成分となり好ましくない。
  そこで、本実施形態では、光検出回路部２５０と画素部７２とで信号線を共有することにより、信号線の本数を減らし、開口率の低下を防ぐようにする。以下、具体的な実施例について説明する。」（１３頁１１行−１４頁１７行）　
　
　　　　
　以上総合すると、刊行物１には、以下の発明（以下、「引用発明」という。）が記載されているといえる。
　
〈引用発明〉
 
「外光を検出することにより指等の指示物体の位置特定、領域検出を行なう光検出機能付き液晶装置１において、
　該液晶装置１の画像表示領域１０ａを構成するマトリクス状に形成された複数の画素部７２のそれぞれは、Ｘ方向に沿って配列された３つのサブ画素部７２Ｒ、７２Ｇおよび７２Ｂ、ならびに光検出回路部２５０を有しており、
　前記画素部７２は、画像表示領域１０ａに形成された光検出回路部２５０に電気的に接続され、該光検出回路部２５０は、光センサ部１５０と光量調節部８２とを備え、
　前記サブ画素部７２Ｒ、７２Ｇおよび７２Ｂのそれぞれは、画素電極９ａ、ＴＦＴ３０、蓄積容量７０、および画素電極９ａに挟まれた液晶素子５０ａを備え、
　前記ＴＦＴ３０は、前記画素電極９ａに電気的に接続されており、液晶装置１の動作時に前記画素電極９ａをスイッチング制御し、画像信号が供給される表示信号線６ａは、前記ＴＦＴ３０のソースに電気的に接続され、さらに、前記ＴＦＴ３０のゲートに表示行選択信号線３ａが電気的に接続されており、液晶装置１は、所定のタイミングで、表示行選択信号線３ａにパルス的に走査信号Ｇ１、Ｇ２、…を、この順に線順次で印加するように構成され、前記画素電極９ａは、前記ＴＦＴ３０のドレインに電気的に接続されており、スイッチング素子である前記ＴＦＴ３０を一定期間だけそのスイッチを閉じることにより、表示信号線６ａから供給される画像信号Ｓ１、Ｓ２、…が所定のタイミングで書き込まれ、前記画素電極９ａを介して前記液晶素子５０ａに書き込まれた所定レベルの画像信号Ｓ１、Ｓ２、…は、対向基板に形成された対向電極との間で一定期間保持され、
　前記光量調節部８２は、液晶素子５０ｂ、調整制御ＴＦＴ１３０、および蓄積容量１７０を備えて構成され、前記光量調節部８２は、複数の光検出回路部２５０のそれぞれに含まれており、センサ感度調整回路部２０５の制御下において、画像表示領域１０ａにおいて互いに独立してその動作が制御され、
　前記液晶素子５０ｂは、調整制御ＴＦＴ１３０および蓄積容量１７０のそれぞれに電気的に接続されており、液晶素子５０ｂが有する液晶部分の配向状態が調整制御ＴＦＴ１３０によって制御され、光センサ部１５０に入射する入射光の光量を調節し、蓄積容量１７０が有する一対の容量電極の一方は、容量電位線３００に電気的に接続されており、前記調整制御ＴＦＴ１３０のゲートおよびソースのそれぞれは、表示行選択信号線３ａおよび光量調節信号線６ａ１のそれぞれに電気的に接続されて、前記調節制御ＴＦＴ１３０は、表示行選択信号線３ａを介して供給された選択信号が供給されることによってそのオンオフが切り換え可能に構成され、前記調整制御ＴＦＴ１３０は、そのオンオフに応じて光量調節信号線６ａ１を介して供給された調節信号を液晶素子５０ｂに供給し、前記液晶素子５０ｂは、調節信号に応じて液晶部分の配向状態が制御されることによって光センサ部１５０に入射する入射光の光量を調節し、
　前記光センサ部１５０は、フォトダイオード等の受光素子１５１、蓄積容量１５２、リセットＴＦＴ１６３、信号増幅用ＴＦＴ１５４、および出力制御用ＴＦＴ１５５を備えて構成されており、受光素子１５１は、画像表示領域１０ａにおいて液晶装置１の表示面３０２ｓから入射する入射光Ｌ２のうち光量調節部８２によって光量が調節された入射光Ｌ２´を受光する、
　液晶装置１。」
　
　
２．対比
 
　本願発明と引用発明とを対比すると、次のことがいえる。
 
ア．引用発明の「液晶装置１」は、本願発明の「表示装置」に相当する。
　　　　 
イ．引用発明の「画素部７２」は、「サブ画素部７２Ｒ、７２Ｇおよび７２Ｂ」を有し、「前記サブ画素部７２Ｒ、７２Ｇおよび７２Ｂのそれぞれは、画素電極９ａ、ＴＦＴ３０、蓄積容量７０、および画素電極９ａに挟まれた液晶素子５０ａを備え」ていることから、引用発明の「液晶素子５０ａ」は、本願発明の「第１の液晶素子」に相当し、さらに、引用発明の「画素部」と、引用発明の「表示部」とは、「表示部は、液晶を有する第１の液晶素子を有」する点で共通する。
　 
ウ．引用発明の「光検出回路部２５０」は、「光センサ部１５０と光量調節部８２とを備え」、「光センサ部１５０」は「受光素子１５１」を有し、「光量調節部８２」は、「液晶素子５０ｂ」を備えており、引用発明の「受光素子１５１」、「液晶素子５０ｂ」は、本願発明の「受光素子」、及び「第２の液晶素子」に相当し、さらに、本願発明では、「受光素子１５１は、画像表示領域１０ａにおいて液晶装置１の表示面３０２ｓから入射する入射光Ｌ２のうち光量調節部８２によって光量が調節された入射光Ｌ２´を受光する」ものであり、「受光素子１５１」の上に「光量調節部８２」が配置されるものと認められることから、引用発明の「光検出回路部２５０」と、本願発明の「センサ部」は、「センサ部は、受光素子と、前記受光素子上に設けられ、前記液晶を有する第２の液晶素子と、を有」する点で共通する。
　また、引用発明の「受光素子１５１は、画像表示領域１０ａにおいて液晶装置１の表示面３０２ｓから入射する入射光Ｌ２のうち光量調節部８２によって光量が調節された入射光Ｌ２´を受光する」は、本願発明の「受光素子は、前記第２の液晶素子を透過した光を受光する」に相当する。　
　
　よって、本願発明と引用発明は、以下の点で一致、ないし相違している。
　 
（一致点）
　 
「表示部と、センサ部と、を有し、
　前記表示部は、液晶を有する第１の液晶素子を有し、
　前記センサ部は、受光素子と、前記受光素子上に設けられ、前記液晶を有する第２の液晶素子と、を有し、
　前記受光素子は、前記第２の液晶素子を透過した光を受光する、表示装置。」
　 
　
（相違点１）液晶が、本願発明では、高分子分散型液晶であるのに対して、引用発明では、そのような液晶には特定されていない点。
　
（相違点２）本願発明では、「前記第１の液晶素子と前記第２の液晶素子とを、独立に駆動」されるのに対して、引用発明では、「画素部７２」の「液晶素子５０ａ」と、「光検出回路部２５０」の「液晶素子５０ｂ」は独立には駆動されない点。　 
 　
　この点、引用発明では、「画素部７２」の「液晶素子５０ａ」を駆動する「ＴＦＴ３０」と、「光検出回路部２５０」の「液晶素子５０ｂ」を駆動する「調整制御ＴＦＴ１３０」には、同じ「表示行選択信号線３ａ」が接続され同じタイミングで制御されることから、「前記第１の液晶素子と前記第２の液晶素子とを、独立に駆動」については一致ではなく、相違点である。
３．判断
 
　当審は次のとおり判断する。
 
　下のア．〜ウ．に示す理由で、引用発明において上記相違点２に係る本願発明の構成を採用することは、当業者といえども容易に推考し得たこととはいえない。
 
　したがって、その他の点について判断するまでもなく、本願発明は引用発明に基づいて当業者が容易に発明することができたものとはいえない。
 
ア．引用発明を開示する刊行物１には、引用発明において上記相違点２に係る本願発明の構成を採用することについての記載も、それを示唆する記載もない。
 
イ．原査定の拒絶理由で引用文献３として引用された特開２００８−８３３２２号公報（以下、「刊行物２」という。）には、「表示用画素回路１００ｂ」と「入力位置検出用画素回路１００ｃ」を独立に駆動できることは記載されているが、そこに示される「入力位置検出用画素回路１００ｃ」は独立した液晶素子を有するものではなく、異なる液晶素子を独立に駆動させることは刊行物２には記載されていない。
　
 したがって、上記刊行物２に記載される技術の存在をもっては、引用発明において上記相違点２に係る本願発明の構成を採用することが当業者にとって容易であったとはいえない。
　
ウ．ほかに引用発明において、上記相違点２に係る本願発明の構成を採用することが当業者にとって容易であったといえる根拠は見当たらない。　
　したがって、本願発明は、当業者が引用発明に基づいて容易に発明をすることができたとはいえない。
　本願の請求項２−３に係る発明は、本願発明をさらに限定したものであるので、本願発明と同様に、当業者が引用発明に基づいて容易に発明をすることができたとはいえない。
　 
第５　むすび
　以上のとおり、本願の請求項１−３に係る発明は、いずれも、当業者が引用発明に基づいて容易に発明することができたものではないから、原査定の理由によっては、本願を拒絶することはできない。 
　
　また、他に本願を拒絶すべき理由を発見しない。 
　よって、結論のとおり審決する。